(57)【要約】【課題】外光が複数のＲＧＢセルからなるプラズマ光放電部２０に入ることを阻止し、プラズマ光放電部２０から放射される放射光により形成される画像を高画質に表示できるプラズマ放電パネルを提供する。【解決手段】基板上にＲＧＢ色光を発光する放電ガスが封入され、マトリクス状に配列された複数のＲＧＢセルと、前記複数のＲＧＢセルから発光するＲＧＢ色光を集光して平行光にする複数の集光レンズ８と、平行光を外部に取り出すと共に外光を遮光する複数のフィルタ（拡散部１１）と、を備えたプラズマ放電パネルにおいて、フィルタ（拡散部１１）は、複数のＲＧＢセル間に対応する位置に平行光以外の光を吸収する吸収フィルタ１１ａと、外部から入射する外光の強度を減衰させ、平行光にされたＲＧＢ光を外部に拡散させる拡散フィルタ１１ｂと、を有する。【選択図】      図１
2006178065.tif 000002
【特許請求の範囲】
【請求項１】
基板上にＲＧＢ色光を発光する放電ガスが封入され、マトリクス状に配列された複数のＲＧＢセルと、前記複数のＲＧＢセルから発光するＲＧＢ色光を集光して平行光にする複数の集光レンズと、前記平行光を外部に取り出すと共に外光を遮光する複数のフィルタと、を備えたプラズマ放電パネルにおいて、
前記フィルタは、
前記複数のＲＧＢセル間に対応する位置に前記平行光以外の光を吸収する吸収フィルタと、
前記外部から入射する外光の強度を減衰させ、前記平行光にされたＲＧＢ光を前記外部に拡散させる拡散フィルタと、
を有することを特徴とするプラズマ放電パネル。
【発明の詳細な説明】
【技術分野】
【０００１】
本発明は、入射する外光の強度を減衰させ、出射する放射光を拡散する光学フィルタを備えたプラズマ放電パネルに関する。
【背景技術】
【０００２】
図３に示されるように、従来のプラズマ放電パネルは、発光源からの放射光を拡散する放射光拡散部２１と、画像の表現濃度に比例して電極間に加えられる電圧値に応じた発光をする発光源である複数のＲＧＢセルからなるプラズマ光放電部２０から構成され、放射光拡散部２１は放射光を拡散する拡散部２２と、プラズマ光放電部２０に入り反射して発光源からの放射光と混入し画質を劣化させる外光を遮断する遮光部２３と、遮光部２３に設置されている発光源からの放射光を通過させる放射光窓２４と、放射光拡散部２１の中心基材であるガラス基材２５と、発光源からの放射光を放射光窓２４に集光するレンチキラーレンズ２６と、を備える。
【０００３】
そして、特許文献１に記載されているように、プラズマ光放電部２０から画像の表現濃度に比例して電極間に加えられる電圧値に応じて複数のＲＧＢセルから発光した放射光を、レンチキラーレンズ２６により放射光窓２４に集光し、これを拡散部２２で拡散することにより、外光の影響が減少し、画質劣化の少ない放射光からなる画像をプラズマ放電パネルの表面に形成する。
【特許文献１】特開２００１−１５４５９７号公報
【発明の開示】
【発明が解決しようとする課題】
【０００４】
しかしながら、特許文献１に記載されているように、複数のＲＧＢセルからなるプラズマ光放電部２０の１画素に対し１つのレンチキラーレンズを形成し１画素分の放射光を放射光窓２４に集光するのみでは、レンチキラーレンズで集光部分の面積を十分に絞ることができず、この為、放射光窓２４の開口面積を多くして遮光部２３の面積を削減しなければならないから、外光が画質を劣化させるプラズマ光放電部２０に入り反射することを阻止するのは困難となり、外光の影響を受けて画質劣化を生じてしまうと言う問題点があった。
【０００５】
そこで、本発明は、上記のような問題点を解消するためになされたもので、外光が複数のＲＧＢセルからなるプラズマ光放電部２０に入ることを阻止し、プラズマ光放電部２０から放射される放射光により形成される画像を高画質に表示できるプラズマ放電パネルを提供することを目的とする。
【課題を解決するための手段】
【０００６】
本願発明における第1の発明は、基板上にＲＧＢ色光を発光する放電ガスが封入され、マトリクス状に配列された複数のＲＧＢセルと、前記複数のＲＧＢセルから発光するＲＧＢ色光を集光して平行光にする複数の集光レンズと、前記平行光を外部に取り出すと共に外光を遮光する複数のフィルタと、を備えたプラズマ放電パネルにおいて、前記フィルタは、前記複数のＲＧＢセル間に対応する位置に前記平行光以外の光を吸収する吸収フィルタと、前記外部から入射する外光の強度を減衰させ、前記平行光にされたＲＧＢ光を前記外部に拡散させる拡散フィルタと、を有することを特徴とするプラズマ放電パネルを提供する。
【発明の効果】
【０００７】
本発明によれば、基板上にＲＧＢ色光を発光する放電ガスが封入され、マトリクス状に配列された複数のＲＧＢセルと、複数のＲＧＢセルから発光するＲＧＢ色光を集光して平行光にする複数の集光レンズと、平行光を外部に取り出すと共に外光を遮光する複数のフィルタと、を備えたプラズマ放電パネルにおいて、フィルタは、複数のＲＧＢセル間に対応する位置に平行光以外の光を吸収する吸収フィルタと、外部から入射する外光の強度を減衰させ、平行光にされたＲＧＢ光を外部に拡散させる拡散フィルタと、を有することにより、外光がプラズマ光放電部２０に入ることを阻止し、プラズマ光放電部２０から放射される放射光により形成される画像を高画質に表示できる
【発明を実施するための最良の形態】
【０００８】
以下に本発明の実施形態に係るプラズマ放電パネルについて図１〜図２を用いて説明する。
図１は、本発明の実施形態におけるプラズマ放電パネルを示す図であり、（Ａ）はプラズマ放電パネルの断面図を示し、（Ｂ）はプラズマ放電パネルに設置されたマイクロレンズの動作を説明する図を示し、（Ｃ）はマイクロレンズ周辺の詳細図を示す。
図２は、プラズマ放電パネルの製造過程を示す図である。
【０００９】
本発明の実施形態におけるプラズマ放電パネルは、図１（Ａ）に示すように、画像の表現濃度に比例して電極間に加えられる電圧値に応じた発光をする発光源である複数のＲＧＢセルからなるプラズマ放電部１と、発光源からの放射光を拡散する放射光拡散部２と、から構成される。
プラズマ放電部１は、画素毎に設置されている画素電極３と、各画素間を遮蔽する隔壁４と、放電によりＲ・Ｇ・Ｂの放射光を画素毎に発光する放電ガスを封入された放電ガス部５と、各画素の共通電極６と、透明な保護ガラス部７と、透明な接合部８と、から構成される。
放射光拡散部２は、プラズマ放電部１との接合部８と、１画素につき複数個設定されるマイクロレンズ９と、マイクロレンズ９を保持するガラスもしくはプラスチックの保持部１０と、発光源からの放射光を拡散する拡散部１１と、外部の押圧や衝撃を保護するガラスもしくはプラスチックからなる保護部１２と、外光を吸収し遮光する遮光部１３と、保護部１２の表面に形成される外光を遮光する複数の反射防止膜１４と、マイクロレンズ９によりプラズマ放電部１から放射されたプラズマ放射光の集光位置の透明部材１５と、から構成される。
【００１０】
図１（Ｂ）に示すように、プラズマ放射光は、マイクロレンズ９によりプラズマ放電部１から放射され透明部材１５を経由して拡散部１１により放射光となる。このプラズマ放射光は１画素につき複数個のマイクロレンズ９により拡散部１１の複数の集光部分に集光されてから放射されるので各方向に対し平均的に十分拡散される。
【００１１】
図１（Ｃ）に示すように、マイクロレンズ９を正方形の１画素につきＮｘＮとすると、マイクロレンズ９の直径は１／Ｎとなるから、プラスチックの保持部１０を経由して設置されているプラズマ放射光の集光位置の透明部材１５の受け口の直径は、略１／２Ｎで形成し、拡散部１１側はマイクロレンズ９による集光直径とほぼ同等に設定して受け口の直径より狭くする。
拡散部１１は、可視光（４５０ｎｍ〜７５０ｎｍ）以外の光を吸収する吸収フィルタ１１ａと、外部から入射する外光の強度を減衰させ、透明部材１５の拡散部１１側に集光されたプラズマ放射光の外部に拡散させる拡散フィルタ１１ｂと、から構成される。
【００１２】
そして、図１に示すように、本発明の実施形態におけるプラズマ放電パネルは、基板上にＲＧＢ色光を発光する放電ガスが封入され、マトリクス状に配列された複数のＲＧＢセルと、複数のＲＧＢセルから発光するＲＧＢ色光を集光して平行光にする複数の集光レンズ（マイクロレンズ９）と、平行光を外部に取り出すと共に外光を遮光する複数のフィルタ（拡散部１１）と、を備えたプラズマ放電パネルにおいて、複数のフィルタ（拡散部１１）は、複数のＲＧＢセル間に対応する位置に平行光以外の光を吸収する吸収フィルタ１１ａと、外部から入射する外光の強度を減衰させ、平行光にされたＲＧＢ光を外部に拡散させる拡散フィルタ１１ｂと、を有するものである。
【００１３】
次に動作について説明する。 まず、画素電極３と共通電極７との間に表示する画像の濃度に応じた電圧を加えて、放電ガス部５の放電ガスを所定の色で発光させ放射光とする。次にこの放射光をマイクロレンズ９により透明部材１５の拡散部１１側に集光させて拡散部１１により外部に拡散させ放射光による画像を形成する。
この時、放射光による画像に影響を及ぼす外光は、遮光部１３と反射防止膜１４とによりほとんどが吸収され、さらに拡散部１１の吸収フィルタ１１ａにより可視光以外は吸収され、残ったわずかな量の可視光は拡散フィルタ１１ｂによりさらに拡散されるので、透明部材１５の狭い集光位置に集光された放射光に与える影響を著しく減少することができる。
【００１４】
このようにして、放射光をマイクロレンズで狭い集光位置に集光した後、拡散することで、拡散方向範囲を広げ、外光の影響を削減することにより、鮮明な低濃度部のコントラストが十分得られるプラズマ放電パネルを実現できる。
【００１５】
図２に示すプラズマ放電パネルの製造過程について説明する。
平らな透明のプラスチック板にマイクロレンズを金型形成する。（１）
マイクロレンズと反対側に紫外線硬化剤を塗布する。（２）
マイクロレンズ側から紫外線を照射し塗布された紫外線硬化剤を硬化させる。（３）
（マイクロレンズ側から紫外線の平行光を入射することにより、紫外線が通過した箇所のみが硬化する。）
硬化しなかった紫外線硬化剤を除去し、透明部材１５の形状を確立する。（４）
紫外線硬化剤を除去した跡に遮光材を塗布する。（５）
透明ガラス定盤に透明ワックスでマイクロレンズ側を固定する。（６）
透明ガラス定盤側から可視光を照射しながら遮光材側から見て均一に可視光が透過するまで遮光材を研磨する。遮光材側からは赤外線を照射し透明ガラス定盤側からみてわずかに透過する程度でかつ可視光が十分透過するようにして研磨を停止する。（７）
拡散層（拡散フィルタ、吸収フィルタ）を生成する。（８）
反射防止膜付き保護ガラス（またはプラスチック）を張り合わせる。（９）
透明ガラス定盤と透明ワックスとを剥離し、プラズマ放電部（発光部）の接合部に装着する。（１０）
【００１６】
このようにして、集光位置の透明部材１５をマイクロレンズ９に入射した紫外線に沿って形成することにより受け口の直径を、マイクロレンズ９の直径の略半分で形成し拡散側の直径を受け口の直径より小さくすることができるから透明部材１５の隙間に遮光材を設置することにより外光を遮断するとともにマイクロレンズ９で集光したプラズマ放射光を効率よく透過させることができる。
【００１７】
以上述べてきたように、本発明の実施形態によれば、外部から入射する外光の強度を減衰させて外光がプラズマ光放電部２０に入ることを阻止し、プラズマ光放電部２０から放射される放射光を外部に十分拡散することにより、放射光に混入する外光のほとんど無い高画質な画像を表示することができる。
【図面の簡単な説明】
【００１８】
【図１】本発明の実施形態におけるプラズマ放電パネルを示す図であり、（Ａ）はプラズマ放電パネルの断面図を示し、（Ｂ）はプラズマ放電パネルに設置されたマイクロレンズの動作を説明する図を示し、（Ｃ）はマイクロレンズ周辺の詳細を示す図である。
【図２】プラズマ放電パネルの製造過程を示す図である。
【図３】従来のプラズマ放電パネルを示す図である。
【符号の説明】
【００１９】
１・・・プラズマ放電部、２・・・放射光拡散部、３・・・画素電極、４・・・隔壁、５・・・放電ガス部、６・・・共通電極、７・・・保護ガラス部、８・・・接合部、９・・・マイクロレンズ、１０・・・保持部、１１・・・拡散部、１２・・・保護部、１３・・・遮光部、１４・・・反射防止膜、１５・・・透明部材
【図１】
2006178065.tif 000003
【図２】
2006178065.tif 000004
【図３】
2006178065.tif 000005